(57)【要約】【課題】  万が一、テンドンが破断したとしても、アンカー頭部の飛散を防止することができる安全性の高いグラウンドアンカーを提供する。【解決手段】  地盤２に設けられた孔部３に挿入されてアンカー体４を構成するテンドン５と、該テンドン５をこれに引張力を付加した状態で構造物６に定着させるアンカー頭部７とを備えたグラウンドアンカー１において、前記テンドン５に、該テンドン５に付加される引張力よりもはるかに小さい引張力を付加するか或いは引張力を付加しないダミー引張材１０を設け、該ダミー引張材１０を前記アンカー頭部７に定着させている。【選択図】          図１
0003105701.tif 000002
【実用新案登録請求の範囲】
【請求項１】
地盤に設けられた孔部に挿入されてアンカー体を構成するテンドンと、該テンドンをこれに引張力を付加した状態で構造物に定着させるアンカー頭部とを備えたグラウンドアンカーにおいて、前記テンドンに、該テンドンに付加される引張力よりもはるかに小さい引張力を付加するか或いは引張力を付加しないダミー引張材を設け、該ダミー引張材を前記アンカー頭部に定着させたことを特徴とするグラウンドアンカー。
【請求項２】
前記アンカー頭部は、構造物に支圧板を介してテンドンを定着する主定着具と、該主定着具から突出したテンドンを覆うように支圧板または主定着具に設けられた主キャップと、該主キャップに設けられ前記ダミー引張材を定着させるダミー用定着具とを備えたことを特徴とする請求項１記載のグラウンドアンカー。
【請求項３】
前記ダミー用定着具には該ダミー用定着具から突出したダミー引張材を覆うダミー用キャップが設けられ、該ダミー用キャップ内および前記主キャップ内には防錆油が充填されていることを特徴とする請求項２記載のグラウンドアンカー。
【考案の詳細な説明】
【技術分野】
【０００１】
本考案は、グラウンドアンカーに関するものである。
【背景技術】
【０００２】
グラウンドアンカーは、引張力を地盤に伝達するためのシステムで、地盤に設けられた孔部に挿入されてアンカー体を構成するテンドンと、該テンドンをこれに引張力を付加した状態で構造物に定着させるアンカー頭部とから主に構成され、例えば、擁壁、地すべり抑止工、仮設土留工、傾斜地の構造物の定着、塔状構造物の転倒の防止等に使用されている。
【０００３】
なお、グラウンドアンカーに関する技術としては、例えばグラウンドアンカー工法および削孔具に関する発明がある（特開平９−１７７０７３号公報）。
【０００４】
【特許文献１】特開平９−１７７０７３号公報
【考案の開示】
【考案が解決しようとする課題】
【０００５】
ところで、グラウンドアンカーにおいては、アンカー供用時に設計荷重を上回る荷重が加わったり、すべり面で大きなせん断力が加わったりすることによりテンドンが破断し、アンカー頭部が飛散する事故が発生する可能性があることが考えられる。
【０００６】
本考案は、上記事情を考慮してなされたものであり、万が一、テンドンが破断したとしても、アンカー頭部の飛散を防止することができる安全性の高いグラウンドアンカーを提供することを目的とする。
【課題を解決するための手段】
【０００７】
本考案のうち、請求項１の考案は、地盤に設けられた孔部に挿入されてアンカー体を構成するテンドンと、該テンドンをこれに引張力を付加した状態で構造物に定着させるアンカー頭部とを備えたグラウンドアンカーにおいて、前記テンドンに、該テンドンに付加される引張力よりもはるかに小さい引張力を付加するか或いは引張力を付加しないダミー引張材を設け、該ダミー引張材を前記アンカー頭部に定着させたことを特徴とする。
【０００８】
請求項２の考案は、請求項１記載のグラウンドアンカーにおいて、前記アンカー頭部は、構造物に支圧板を介してテンドンを定着する主定着具と、該主定着具から突出したテンドンを覆うように支圧板または主定着具に設けられた主キャップと、該主キャップに設けられ前記ダミー引張材を定着させるダミー用定着具とを備えたことを特徴とする。
【０００９】
請求項３の考案は、請求項２記載のグラウンドアンカーにおいて、前記ダミー用定着具には該ダミー用定着具から突出したダミー引張材を覆うダミー用キャップが設けられ、該ダミー用キャップ内および前記主キャップ内には防錆油が充填されていることを特徴とする。
【考案の効果】
【００１０】
請求項１の考案によれば、地盤に設けられた孔部に挿入されてアンカー体を構成するテンドンと、該テンドンをこれに引張力を付加した状態で構造物に定着させるアンカー頭部とを備えたグラウンドアンカーにおいて、前記テンドンに、該テンドンに付加される引張力よりもはるかに小さい引張力を付加するか或いは引張力を付加しないダミー引張材を設け、該ダミー引張材を前記アンカー頭部に定着させているため、万が一、テンドンが破断したとしても、アンカー頭部の飛散を防止することができ、安全性の向上が図れる。
【００１１】
請求項２の考案によれば、前記アンカー頭部は、構造物に支圧板を介してテンドンを定着する主定着具と、該主定着具から突出したテンドンを覆うように支圧板または主定着具に設けられた主キャップと、該主キャップに設けられ前記ダミー引張材を定着させるダミー用定着具とを備えているため、万が一、テンドンが破断したとしても、アンカー頭部の飛散を防止することができるとともに、前記主キャップによりテンドンを構成する引張材の抜け出しを防止することができる。
【００１２】
請求項３の考案によれば、前記ダミー用定着具には該ダミー用定着具から突出したダミー引張材を覆うダミー用キャップが設けられ、該ダミー用キャップ内および前記主キャップ内には防錆油が充填されているため、アンカー頭部の自然現象による腐食を防止することができ、耐久性の向上が図れる。
【考案を実施するための最良の形態】
【００１３】
以下に、本考案を実施するための最良の形態について、添付図面を基に詳述する。図１は本考案の実施の形態であるグラウンドアンカーの一例を示す構造図、図２は同グラウンドアンカーのアンカー頭部の一例を示す正面図である。
【００１４】
これらの図において、１はグラウンドアンカーで、このグラウンドアンカー１は地盤２に設けられた孔部３に挿入されてアンカー体４を構成するテンドン５と、該テンドン５をこれに引張力を付加した状態で構造物６に定着させるアンカー頭部７とを備えている。前記アンカー体４は、地盤２の孔部３に充填されてテンドン５及び地盤２と一体化されるグラウト（固化材）３０により造成されている。前記テンドン５は例えば複数本の引張材８の集合体である。引張材８としては、例えばＰＣ鋼より線やＰＣ鋼棒等が用いられる。テンドン５にはテンドン自由長部の機能を発揮させるためのシース９が装着されている。
【００１５】
前記テンドン５には、該テンドン５に付加される引張力よりもはるかに小さい引張力を付加するか或いは引張力を付加しないダミー引張材１０が設けられ、該ダミー引張材１０は前記アンカー頭部７に定着されている。ダミー引張材１０としては、引張材と同じ、例えばＰＣ鋼より線やＰＣ鋼棒等が用いられる。ダミー引張材１０はテンドン５に沿って設けられている。ダミー引張材１０は、一本であってもよく、或いは複数本であってもよい。
【００１６】
前記アンカー頭部７は、構造物６に直接又は台座を介して当接される支圧板１１と、該支圧板１１に当接される定着具１２とから主に構成されている。図示例では、クサビ式の定着具１２が示されている。この定着具１２は、テンドン５を構成する引張材８やダミー引張材１０をそれぞれ挿通する略円錐状の挿通孔１３が複数形成された円板状の定着具本体１４と、該定着具本体１４の各挿通孔１３に挿入されて引張材８やダミー引張材１０を固定するクサビ部材１５とから構成されている。図示例では定着具本体１４の中央の挿通孔１３にダミー引張材１０が挿通され、周囲の挿通孔１３にテンドン５を構成する引張材８が挿通されている。
【００１７】
グラウンドアンカーを施工する場合、先ず先端に削孔ビットを有するケーシングパイプを回転させるとともにケーシングパイプを順次接続して所定深度まで地盤を削孔する。次に、前記ケーシングパイプ内に、グラウト（セメントペースト）を充填するとともに、テンドンを挿入する。このテンドンには予めダミー引張材が添付されている。次に、地盤の孔部からケーシングパイプを回収し、グラウトの固化によりアンカー体が造成されたなら、テンドン５に所定の引張力を付加してテンドン５の端部をアンカー頭部７として構造物６に定着させるとともに、前記ダミー引張材１０をアンカー頭部７に定着させる。
【００１８】
具体的には、アンカー頭部７を構成する定着具本体１４の挿通孔１３にテンドン５の引張材８及びダミー引張材１０をそれぞれ挿通し、テンドン５の引張材８に所定の引張力（緊張）を付加して該引張材８をクサビ部材１５により定着し、前記ダミー引張材１０をクサビ部材１５により定着する。この場合、ダミー引張材１０には引張力を付加しなくてもよいが、ダミー引張材１０に僅かな引張力（テンドンの引張力よりもはるかに小さい引張力）を付加することにより、ダミー引張材１０の撓みを取り除くようにしてもよい。
【００１９】
以上の構成からなるグラウンドアンカー１によれば、地盤２に設けられた孔部３に挿入されてアンカー体４を構成するテンドン５と、該テンドン５をこれに引張力を付加した状態で構造物６に定着させるアンカー頭部７とを備え、前記テンドン５に、該テンドン５に付加される引張力よりもはるかに小さい引張力を付加するか或いは引張力を付加しないダミー引張材１０を設け、該ダミー引張材１０を前記アンカー頭部７に定着させているため、万が一、テンドン５が破断したとしても、アンカー頭部７の飛散を防止することができ、安全性の向上が図れる。すなわち、アンカー頭部７にダミー引張材１０が定着されているので、テンドン５が破断した場合に反動で飛散しようとするアンカー頭部７をダミー引張材１０により引き止めることができる。ダミー引張材１０にはテンドン５に付加された引張力と同じ大きさの引張力が付加されていないので、ダミー引張材１０はテンドン５の破断時に一緒に破断するようなことがなく、テンドン５の破断によるアンカー頭部７の飛散を食い止めることができる。
【００２０】
図３はグラウンドアンカーのアンカー頭部の他の例を示す縦断面図である。このアンカー頭部７は、構造物６に支圧板１１を介してテンドン５を定着する主定着具１７と、該主定着具１７から突出したテンドン５を覆うように支圧板１１または主定着具１７に設けられた主キャップ１８と、該主キャップ１８に設けられ前記ダミー引張材１０を定着させるダミー用定着具１９とを備えている。図示例では、主キャップ１８は主定着具１７に取付けられているが、支圧板１１に取付けられていてもよい。
【００２１】
図示例の主定着具１７はクサビ式であり、図２に示した定着具本体１４と同様に構成されている（同一部分に同一参照符号を付す）。この場合、主定着具１７にはダミー引張材１０は定着されていない。
【００２２】
図示例の主キャップ１８は、円筒状に形成され、その内周部には主定着具１７が嵌合されるとともに、主定着具１７に係止される係止部２０が突設されている。主キャップ１８には、ダミー引張材１０を挿通する挿通孔２１が設けられている。この挿通孔２１は、主キャップ１８の端板部１８ａの中央部に設けられていることが好ましい。図示例のダミー用定着具１９はクサビ式であり、ダミー用引張材１０を挿通する略円錐状の挿通孔２２が形成されたダミー用定着具本体２３と、該ダミー用定着具本体２３の挿通孔２２に挿入されてダミー用引張材１０を定着するクサビ部材２４とから構成されている。
【００２３】
本実施例のグラウンドアンカーによれば、アンカー頭部７が、構造物６に支圧板１１を介してテンドン５を定着する主定着具１７と、該主定着具１７から突出したテンドン５（すなわち引張材８）を覆うように支圧板１１または主定着具１７に設けられた主キャップ１８と、該主キャップ１８に設けられ前記ダミー引張材１０を定着させるダミー用定着具１９とを備えているため、万が一、テンドン５が破断したとしても、アンカー頭部７の飛散を防止することができるとともに、前記主キャップ１８によりテンドン５を構成する引張材８の抜け出し（主定着具１７の挿通孔１３から引張材８がクサビ部材１５とともに外方へ抜け出すこと）を防止することができる。
【００２４】
図５は本考案の実施の形態であるグラウンドアンカーの他の例を示す構造図、図６はグラウンドアンカーのアンカー頭部を示す縦断面図、図７は主キャップの取付け手順を示す図である。このグラウンドアンカー１においては、支圧板１１に主キャップ１８がボルト２５で固定され、この裁頭円錐状の主キャップ１８の頭部（端部）には、ダミー用定着具１９がＯリング２６を介して当接されている。また、ダミー用定着具１９には、該ダミー用定着具１９から突出したダミー引張材１０を覆うダミー用キャップ１７が設けられている。このダミー用キャップ２７は、ダミー用定着具１９の外周に螺着されている。
【００２５】
前記ダミー用キャップ２７内および前記主キャップ１８内には防錆油（例えばグリース）（図示省略）が充填されていることが好ましい。主キャップ１８には防錆油例えばグリースを充填するグリースカップ（注入部）が設けられてない場合には、図７の（ａ）に示すように、主定着具１７に引張材８を緊張定着後、主キャップ１８の挿通孔２１にダミー引張材１０を挿通し、主キャップ１８内にグリースを充填する。次に、図７の（ｂ）に示すように、主キャップ１８を支圧板１１にボルト２５で固定した後、図６に示すようにダミー用定着具（一本用定着ヘッド）１９にダミー引張材１０を挿通し、ダミー用定着具１９を主キャップ１７に押し付けてクサビ部材２４によりダミー引張材１０を定着する。そして、ダミー用キャップ２７内にグリースを充填し、このダミー用キャップ２７をダミー用定着具１９に螺着すればよい。本実施例によれば、前記ダミー用定着具１９には該ダミー用定着具１９から突出したダミー引張材１０を覆うダミー用キャップ２７が設けられ、該ダミー用キャップ２７内および前記主キャップ１８内には防錆油が充填されているため、アンカー頭部７の自然現象による腐食を防止することができ、耐久性の向上が図れる。
【００２６】
なお、ダミー引張材１０には、僅かな引張力を付加するようにしてもよい。この場合、図８に示すように、ダミー用定着具１９の外側にジャッキ２８を配置し、このジャッキ２８によりダミー引張材１０に僅かな引張力（テンドンの引張力よりもはるかに小さい引張力）を付加すればよい。これにより、ダミー引張材１０の遊び（撓み）を取り除くことができる。
【００２７】
本考案の実施の形態ないし実施例を図面により詳述してきたが、本考案は前記実施の形態ないし実施例に限定されるものではなく、本考案の要旨を逸脱しない範囲での種々の設計変更等が可能である。例えば、定着具としてはナット式であってもよく、或いはクサビとナットの併用式であってもよい。ダミー用定着具本体２３は主キャップ１８に一体的に設けられていてもよく、この場合、Ｏリング２６が不要になる。
【図面の簡単な説明】
【００２８】
【図１】本考案の実施の形態であるグラウンドアンカーの一例を示す構造図である。
【図２】同グラウンドアンカーのアンカー頭部の一例を示す正面図である。
【図３】同グラウンドアンカーのアンカー頭部の他の例を示す縦断面図である。
【図４】主キャップを底から見た図である。
【図５】本考案の実施の形態であるグラウンドアンカーの他の例を示す構造図である。
【図６】同グラウンドアンカーのアンカー頭部を示す縦断面図である。
【図７】主キャップの取付け手順を示す図である。
【図８】アンカー頭部のダミー引張材に引張力を付加する場合を示す縦断面図である。
【符号の説明】
【００２９】
１  グラウンドアンカー
２  地盤
３  孔部
４  アンカー体
５  テンドン
６  構造物
７  アンカー頭部
１０  ダミー引張材
１７  主定着具
１８  主キャップ
１９  ダミー用定着具
２７  ダミー用キャップ
【図１】
0003105701.tif 000003
【図２】
0003105701.tif 000004
【図３】
0003105701.tif 000005
【図４】
0003105701.tif 000006
【図５】
0003105701.tif 000007
【図６】
0003105701.tif 000008
【図７】
0003105701.tif 000009
【図８】
0003105701.tif 000010